(57)【特許請求の範囲】
【請求項１】
光源と、
前記光源が内部に配置され、前記光源の光軸を囲む筒状のセード部を備える器具本体と、
前記セード部の内面に配置される筒状部材と、
前記筒状部材に保持される略平板状のスプレッドフィルタとを備え、
前記スプレッドフィルタは、前記筒状部材に係止される第一被係止部を備え、
前記筒状部材は、前記第一被係止部を係止する第一係止部を備え、
前記スプレッドフィルタは、弾性変形されることにより、前記筒状部材に対して着脱できる
照明器具。
【請求項２】
前記筒状部材は、外面に第二被係止部を備え、
前記器具本体は、前記セード部の内面に、前記第二被係止部を係止する第二係止部を備え、
前記第二被係止部は、前記第二係止部に当接する
請求項１に記載の照明器具。
【請求項３】
前記スプレッドフィルタは、前記器具本体に対して、回転自在に保持される
請求項１又は２に記載の照明器具。
【請求項４】
前記第一被係止部は、前記スプレッドフィルタの周縁に設けられた突出部であり、
前記第一係止部は、前記筒状部材の内面に設けられた環状の段差部である
請求項１〜３のいずれか１項に記載の照明器具。
【請求項５】
前記筒状部材は、複数の前記第二被係止部を備え、
前記第二被係止部は、凸部であり、
前記第二係止部は、前記セード部の内面に形成された環状の溝部である
請求項２に記載の照明器具。
【請求項６】
前記スプレッドフィルタは、前記器具本体に対して、回転しないように保持されている
請求項１又は２に記載の照明器具。
【請求項７】
前記スプレッドフィルタは、複数の前記第一被係止部を備え、
前記第一被係止部は、前記スプレッドフィルタの周縁に配置された突出部であり、
前記筒状部材は、複数の前記第一係止部を備え、
複数の前記第一係止部は、前記筒状部材に等間隔で配置された複数の切り欠き部である
請求項１、２、６のいずれか１項に記載の照明器具。
【請求項８】
前記筒状部材は、複数の前記第二被係止部を備え、
前記第二被係止部は、凸部であり、
前記セード部は、複数の前記第二係止部を備え、
前記第二係止部は、凹部である
請求項２に記載の照明器具。
【請求項９】
前記光源と前記スプレッドフィルタとの間に、フレネルレンズを備える
請求項１〜８のいずれか１項に記載の照明器具。
【請求項１０】
前記スプレッドフィルタは樹脂製である
請求項１〜９のいずれか１項に記載の照明器具。
【請求項１１】
前記スプレッドフィルタの前記光軸に垂直な方向の最大寸法は、前記筒状部材の内径より大きい
請求項１〜１０のいずれか１項に記載の照明器具。
【発明の詳細な説明】
【技術分野】
【０００１】
本発明は、配光調整用の光学部材を備える照明器具に関する。
【背景技術】
【０００２】
従来、照明器具として、例えば、ダウンライトのように天井などの被取付部に埋め込み配設されて下方に光を照射する天井埋込型照明器具などが知られている。ダウンライトなどの照明器具においては、楕円状に配光するために、配光調整用の光学部材としてスプレッドレンズが用いられる場合がある（例えば、特許文献１）。スプレッドレンズとは、異方性を有する光学部材であり、所定の方向において、当該方向と垂直な方向より光を大きく屈折させることによって、円形状の断面形状を有する光を楕円形状の断面形状を有する光に変換する。
【先行技術文献】
【特許文献】
【０００３】
【特許文献１】特開２０１４−１１０１１９号公報
【発明の概要】
【発明が解決しようとする課題】
【０００４】
特許文献１に開示された照明器具では、スプレッドレンズによって所望の方向に長軸を有する楕円状の光を照射するために、スプレッドレンズの取付方向を調整する必要がある。しかしながら、特許文献１に開示された照明器具では、スプレッドレンズの取付方向を調整するためには、スプレッドレンズを保持するための保持枠及びねじを取り外すなどの煩雑な作業が必要となる。
【０００５】
そこで、本発明は、配光調整用の光学部材の着脱作業を簡易化できる照明器具を提供する。
【課題を解決するための手段】
【０００６】
上記課題を解決するために、本発明に係る照明器具の一態様は、光源と、前記光源が内部に配置され、前記光源の光軸を囲む筒状のセード部を備える器具本体と、前記セード部の内面に配置される筒状部材と、前記筒状部材に保持される略平板状のスプレッドフィルタとを備え、前記スプレッドフィルタは、前記筒状部材に係止される第一被係止部を備え、前記筒状部材は、前記第一被係止部を係止する第一係止部を備え、前記スプレッドフィルタは、弾性変形されることにより、前記筒状部材に対して着脱できる。
【発明の効果】
【０００７】
本発明によれば、配光調整用の光学部材の着脱作業を簡易化できる照明器具を提供することができる。
【図面の簡単な説明】
【０００８】
【図１】図１は、実施の形態１に係る照明器具の外観を示す斜視図である。
【図２】図２は、実施の形態１に係る照明器具の分解斜視図である。
【図３】図３は、実施の形態１に係る照明器具の断面図である。
【図４】図４は、実施の形態１に係る照明器具の断面の要部拡大図である。
【図５】図５は、実施の形態１に係るスプレッドフィルタの構成を示す平面図である。
【図６】図６は、実施の形態１に係る照明器具の断面の要部拡大図である。
【図７】図７は、実施の形態１に係る照明器具において、スプレッドフィルタを取り付ける方法を示す一部切り欠き斜視図である。
【図８】図８は、実施の形態２に係る照明器具の一部切り欠き斜視図である。
【図９】図９は、実施の形態２に係る照明器具の筒状部材及びスプレッドフィルタの構成を示す斜視図である。
【発明を実施するための形態】
【０００９】
以下、本発明の実施の形態について、図面を参照しながら説明する。なお、以下に説明する実施の形態は、いずれも本発明の好ましい一具体例を示すものである。したがって、以下の実施の形態で示される、数値、形状、材料、構成要素、構成要素の配置位置及び接続形態などは、一例であって本発明を限定する主旨ではない。よって、以下の実施の形態における構成要素のうち、本発明の最上位概念を示す独立請求項に記載されていない構成要素については、任意の構成要素として説明される。
【００１０】
なお、各図は、模式図であり、必ずしも厳密に図示されたものではない。また、各図において、実質的に同一の構成に対しては同一の符号を付しており、重複する説明は省略又は簡略化する。
【００１１】
（実施の形態１）
［１−１．全体構成］
まず、実施の形態に係る照明器具の全体構成について、図１〜４を用いて説明する。
【００１２】
図１は、本実施の形態に係る照明器具１の外観を示す斜視図である。
【００１３】
図２は、本実施の形態に係る照明器具１の分解斜視図である。
【００１４】
図３は、本実施の形態に係る照明器具１の断面図である。
【００１５】
図４は、本実施の形態に係る照明器具１の断面の要部拡大図である。図４には、図３に示される断面図の破線と光軸Ｊとで囲まれる領域が拡大されて示されている。
【００１６】
なお、各図において、光軸Ｊに平行な方向をｙ軸方向、光軸Ｊに垂直で互いに直交する２つの方向をｚ軸方向及びｘ軸方向としている。本実施の形態において、ｙ軸方向は、鉛直方向である。
【００１７】
図１〜３に示される照明器具１は、例えば建物の天井等の被取付部に埋め込み配設されることにより下方（床や壁等）に光を照明するダウンライト等の埋込型照明器具である。本実施の形態において、照明器具１は、照明器具１から光が出射する方向（光出射方向）を前方とし、この光出射方向とは逆方向を後方としている。つまり、照明器具１が設置される天井面を基準にすると、天井面よりも床側の方向（下方）が前方であり、天井面よりも上側の方向（上方）が後方である。また、ｙ軸方向負側が前方であり、ｙ軸方向正側が後方である。
【００１８】
図２及び図３に示されるように、照明器具１は、器具本体１０、枠体２０、光源３０、取付部材３２、接続部材３６、反射部材４０、光学部材５０、筒状部材６０及びスプレッドフィルタ７０を備える。以下、照明器具１の各構成要素について説明する。
【００１９】
［１−１−１．器具本体］
器具本体１０は、光源３０が内部に配置される部材である。本実施の形態では、器具本体１０は、光源３０が取り付けられる取付台である。器具本体１０は、光源３０が発生する熱を放熱するヒートシンクとしても機能する。したがって、器具本体１０は、金属材料等の熱伝導率の高い材料によって構成されているとよい。器具本体１０は、例えばアルミニウムからなるアルミダイカスト製である。図３に示されるように、器具本体１０は、セード部１１、取付部１２及び放熱部１３を備える。
【００２０】
取付部１２は、光源３０が取り付けられる台状の部分である。図３に示されるように、取付部１２の前方側には、光源３０が配置され、取付部１２の後方側には、放熱部１３が配置される。これにより、光源３０で発生する熱が、放熱部１３に効率よく伝達される。
【００２１】
セード部１１は、取付部１２の周縁に設けられ、光源３０の光軸Ｊを囲む筒状の部分である。セード部１１の前方側端部から照明器具１の出射光が出射される。図４に示されるように、セード部１１の内面には、筒状部材６０を係止する第二係止部１１４が設けられる。本実施の形態では、第二係止部１１４は、セード部１１の内面に形成された環状の溝である。
【００２２】
放熱部１３は、光源３０で発生する熱を放熱する部分であり、複数のフィンを備える。放熱部１３は、取付部１２の後方側に形成される。
【００２３】
［１−１−２．枠体］
枠体２０は、器具本体１０を天井などの被取付部に取り付けるための部材である。本実施の形態では、枠体２０は、器具本体１０のセード部１１を囲む略円筒状の部材である。また、本実施の形態では、固定された枠体２０に対する器具本体１０の相対角度を変えることによって、器具本体１０からの出射光の出射方向を変えることができるように構成されている。つまり、本実施の形態に係る照明器具１は、ユニバーサルダウンライトである。
【００２４】
枠体２０は、例えば、アルミニウムなどの金属材料によって形成することができる。
【００２５】
［１−１−３．光源］
光源３０は、発光モジュールであって、所定の光を放射状に出射する光源である。本実施の形態では、光源３０は、ＬＥＤを有する発光モジュールである。光源３０は、例えば白色光を出射するように構成されている。光源３０は、ＣＯＢ（Ｃｈｉｐ  Ｏｎ  Ｂｏａｒｄ）型ＬＥＤで構成され、図２に示されるように、基台３０２と、基台３０２上に実装されたベアチップ（ＬＥＤチップ）である複数のＬＥＤ３０４と、それらＬＥＤ３０４を封止し、蛍光体を含む封止部材とを備える。なお、本実施の形態では、封止部材は全てのＬＥＤ３０４を一括封止しているが、封止部材の構成はこれに限られない。ライン状に配列されたＬＥＤ３０４の配列方向に沿って複数本のライン状に封止部材を形成する構成としてもよい。
【００２６】
光源３０は、器具本体１０の取付部１２に取り付けられる。照明器具１において、光源３０の光軸Ｊの方向は鉛直方向（各図のｙ軸方向）である。
【００２７】
基台３０２は、複数のＬＥＤ３０４を実装するための実装基板であって、例えばセラミックス基板、樹脂基板又は絶縁被覆されたメタルベース基板などである。また、基台３０２は、例えば平面視において矩形形状である平面を有する板状であり、基台３０２の底面（後方面）が器具本体１０の取付部１２に取り付けられる。なお、基台３０２には、ＬＥＤ３０４（光源３０）を発光させるための直流電力を外部から受電するための一対の電極端子（正電極端子及び負電極端子）が形成されている。
【００２８】
［１−１−４．取付部材］
取付部材３２は、光源３０を器具本体１０の取付部１２に取り付けるための部材である。図２に示されるように、取付部材３２は、規制部３２２及び爪状部３２４を備える。
【００２９】
規制部３２２は、光源３０の光軸Ｊに垂直な方向（ｘ軸方向及びｙ軸方向）の位置を規制する。規制部３２２は、中央に開口部を有する矩形枠状の形状を有する。規制部３２２の中央に形成された開口部は、光源３０に対応する形状を有し、当該開口部に光源３０が配置される。取付部材３２は、取付部１２の光源３０が配置される側（前方側）の面に配置され、図２に示される接続部材３６及びねじ３８によって、取付部１２に固定される。より具体的には、取付部材３２の規制部３２２には、貫通孔３２６が形成されており、ねじ３８を、貫通孔３２６を介して取付部１２に形成されたねじ穴に捻じ込むことにより、取付部材３２が取付部１２に対して固定される。これにより、取付部材３２及びその開口部に配置された光源３０が取付部１２に固定される。
【００３０】
爪状部３２４は、反射部材４０を支持するための爪状の部分であり、図４に示されるように、反射部材４０の係止孔部４４０を係止する。本実施の形態では、取付部材３２は、二つの爪状部３２４を備える。爪状部３２４は、略Ｌ字型の形状を有しており、爪状部３２４の端部の光軸Ｊから離れる向き突出した傾斜面（突起）が、係止孔部４４０に挿入されることにより、爪状部３２４が係止孔部４４０を係止する。
【００３１】
取付部材３２は、例えば、ポリブチレンテレフタレート（ＰＢＴ）、ポリカーボネートなどの樹脂材料を用いて形成することができる。
【００３２】
［１−１−５．接続部材］
接続部材３６は、光源３０へ電流を供給する配線（不図示）が接続される部材である。本実施の形態に係る照明器具１は、図２に示されるように、二つの接続部材３６を備え、一方の接続部材３６に高電位側の配線が、他方の接続部材３６に低電位側の配線が、それぞれ接続される。接続部材３６には、光源３０へ電流を供給する電極（不図示）が設けられている。当該電極が光源３０に形成された電極端子に接続される。
【００３３】
また、接続部材３６は、光源３０の位置を規制する機能も有する。接続部材３６には、ねじ３８が貫通する貫通孔が形成されており、当該貫通孔に挿入されたねじ３８によって、接続部材３６が取付部１２及び取付部材３２に固定される。その際、図３に示されるように接続部材３６の光軸Ｊ側の端部が、光源３０を取付部１２に向けて押さえることにより、光源３０の光軸Ｊ方向（ｙ軸方向）における位置を規制する。
【００３４】
接続部材３６の筐体は、例えば、ＰＢＴ、ポリカーボネートなどの樹脂材料を用いて形成することができる。また、接続部材３６の電極は、銅などの導電性部材を用いて形成することができる。
【００３５】
［１−１−６．反射部材］
反射部材４０は、光源３０からの光の配光を制御する部材である。本実施の形態では、反射部材４０は、光源３０からの光を光学部材５０に向けて反射させる。図２に示されるように、反射部材４０は、光軸Ｊが貫通する開口が形成された略筒状の形状を有する。
【００３６】
反射部材４０は、図３に示されるように、光源３０からの光が入射される側（ｙ軸方向正側）の端部から、当該光が出射される側の端部に向かって内径が漸次大きくなるように構成された略筒状の形状を有する。反射部材４０の内面において、光源３０からの光が反射される。
【００３７】
図４に示されるように、反射部材４０の外面側には、取付部材３２の爪状部３２４に係止される係止孔部４４０が設けられている。係止孔部４４０は、反射部材４０の外面側に立設された部材に設けられた孔である。係止孔部４４０が爪状部３２４に係止されることにより、反射部材４０は、取付部材３２に係止される。これにより、反射部材４０は、取付部材３２を介して器具本体１０の取付部１２に取り付けられる。
【００３８】
図２に示されるように、反射部材４０の光出射側の端部には、三つの爪状部４１０が設けられている。爪状部４１０は、光学部材５０を係止する部分である。
【００３９】
反射部材４０は、例えばＰＢＴなど硬質の白色樹脂材料を用いて形成することができる。なお、反射部材４０は、内面にアルミニウムなどの金属膜が設けられてもよい。
【００４０】
［１−１−７．光学部材］
光学部材５０は、図４に示されるように、反射部材４０からの光が入射する光入射面５１０、及び、光入射面５１０に入射した光が出射する光出射面５２０を備える透光性の部材である。光学部材５０は、反射部材４０から入射した光の配光を制御して出射する機能を有してもよい。本実施の形態では、光学部材５０はフレネルレンズである。光学部材５０は、光入射面５１０から入射した光を集光し、光出射面５２０から略円形の断面を有する光を出射する。
【００４１】
図２に示されるように、光学部材５０の周縁部には、三つの凹部５３０が設けられている。本実施の形態では、凹部５３０は、光学部材５０の光出射面５２０に設けられた凹状の形状を有する部分である。光学部材５０の凹部５３０が反射部材４０の爪状部４１０に係止されることによって、光学部材５０が反射部材４０に係止される。これにより、光学部材５０は、反射部材４０及び取付部材３２を介して器具本体１０の取付部１２に取り付けられる。また、このように反射部材４０の光出射側の端部に光学部材５０が配置されることにより、反射部材４０から出射した光が、光学部材５０に効率よく入射される。
【００４２】
光学部材５０は、透光性材料を用いて形成されており、例えばＰＭＭＡ（アクリル）、ポリカーボネートなどの透明樹脂材料、又は、ガラス材料などの透明材料を用いて形成することができる。
【００４３】
［１−１−８．筒状部材］
筒状部材６０は、図３に示されるように、セード部１１の内面に配置される筒状の部材である。筒状部材６０は、光学部材５０から出射した光が入射する入射開口部６１０及び入射開口部６１０に入射した光が出射する出射開口部６２０を有する。筒状部材６０は、器具本体１０のセード部１１の内面であって、光学部材５０の光出射面５２０側に配置される。
【００４４】
図４に示されるように、筒状部材６０は、セード部１１の前方側端部近傍に、出射開口部６２０が位置するように配置される。また、筒状部材６０の光軸Ｊ方向（ｙ軸方向）の長さは、光学部材５０の光出射面５２０から、セード部１１の前方側端部までの長さ程度である。これにより、筒状部材６０は、セード部１１の内面のうち、光学部材５０の光出射面５２０近傍から、セード部１１の前方端部近傍まで部分を覆うことができる。ここで、筒状部材６０の内面（光軸Ｊ側の面）は、黒色のグレア抑制面である。これにより、セード部１１の内面のうち、光学部材５０の光出射面５２０近傍から、セード部１１の前方端部近傍まで部分におけるグレアが抑制される。
【００４５】
筒状部材６０の内面は、黒色のグレア抑制面であれば、特に限定されない。黒色のグレア抑制面は、例えば、黒色に塗装した面に艶消し処理を施すことにより実現できる。また、黒色のグレア抑制面は、黒色に塗装した面、又は、黒色の部材からなる面に、シボ加工を施すことによっても実現できる。さらに、筒状部材６０の内面におけるグレアをさらに抑制するために、図４などに示されるように、筒状部材６０の内面に段差部（バッフル）を設けてもよい。
【００４６】
図４に示されるように、筒状部材６０は、スプレッドフィルタ７０を係止する第一係止部６１２を備える。本実施の形態では、第一係止部６１２は、筒状部材６０の内面に設けられた環状の段差部である。つまり、第一係止部６１２は、スプレッドフィルタ７０が配置された場合に、筒状部材６０の内面におけるスプレッドフィルタ７０の周縁に沿う位置に設けられる段差部である。
【００４７】
筒状部材６０は、図２及び図４に示されるように、外面に第二被係止部６６０を備える。筒状部材６０は、第二被係止部６６０が第二係止部１１４に係止されることにより、器具本体１０の内部に保持される。本実施の形態では、第二被係止部６６０は、複数の凸部であり、第二係止部１１４は、セード部１１の内面に形成された環状の溝である。筒状部材６０は、以上のような構成を備えることにより、セード部１１に挿入するだけで簡単に取り付けることができる。また、第二被係止部６６０は、第二係止部１１４に当接する。これにより、第二被係止部６６０と第二係止部１１４との間の摩擦力により、筒状部材６０が、セード部１１に対して回転することを抑制することができる。つまり、照明器具１の輸送時における振動などによって筒状部材６０がセード部１１に対して回転することを抑制できる。このため、筒状部材６０に保持されたスプレッドフィルタ７０の光拡散方向を安定化させることができる。
【００４８】
なお、第二被係止部６６０が、第二係止部１１４を押し当てられる構成、すなわち、第二被係止部６６０が、第二係止部１１４に圧接する構成が採用されてもよい。これにより、第二被係止部６６０と第二係止部１１４との間の摩擦力が増大するため、筒状部材６０がセード部１１に対して回転することをより一層抑制することができる。
【００４９】
また、筒状部材６０が、セード部１１に対して回転することを抑制するための摩擦力は、必ずしも第二被係止部６６０と第二係止部１１４との間で発生させなくてもよい。つまり、筒状部材６０が第二被係止部６６０以外の部分でセード部１１と当接又は圧接する構成を採用することも可能である。例えば、筒状部材６０の外面に、第二被係止部６６０以外に、凸部を設けて、当該凸部をセード部１１の内面に当接させてもよい。
【００５０】
また、本実施の形態では、第二係止部１１４が環状の溝であるため、筒状部材６０に上記摩擦力を超える力を加えることにより、筒状部材６０を回転させることもできる。つまり、筒状部材６０をセード部１１に対して回転させることにより、スプレッドフィルタ７０をセード部１１に対して回転させることができる。なお、スプレッドフィルタ７０を筒状部材６０に対して回転させることができるため、筒状部材６０は、セード部１１に対して回転しない構成としてもよい。本実施の形態において、筒状部材６０のセード部１１に対する回転をより抑制するためには、例えば、第二被係止部６６０の高さ方向（第二被係止部６６０から光軸Ｊへの垂線の方向）における寸法を大きくすることによって、第二被係止部６６０が第二係止部１１４を圧接する構成としてもよい。つまり、第二被係止部６６０が第二係止部１１４を押圧することによって、上記摩擦力を増大させてもよい。
【００５１】
筒状部材６０は、例えば、ポリカーボネート、ＰＢＴなどの樹脂材料を用いて形成することができる。
【００５２】
［１−１−９．スプレッドフィルタ］
スプレッドフィルタ７０は、配光調整用の光学部材の一種である。本実施の形態では、スプレッドフィルタ７０は異方性拡散シートであり、所定の方向において、当該所定の方向と垂直な方向より光を大きく拡散させる。例えば、スプレッドフィルタ７０は、円形状の断面形状を有する光を楕円形状の断面形状を有する光に変換する。なお、以下では、スプレッドフィルタ７０によって大きく光が拡散される方向を光拡散方向という。
【００５３】
スプレッドフィルタ７０は、筒状部材６０に保持される略平板状の部材である。なお、ここで、略平板状との記載によって、平板に限定されない。略平板状には、例えば、平板以外にも、平板の一部に突起などが形成された形状も含まれる。
【００５４】
以下、スプレッドフィルタ７０の詳細な構成について、図２〜４に加えて、図５を用いて説明する。
【００５５】
図５は、本実施の形態に係るスプレッドフィルタ７０の構成を示す平面図である。
【００５６】
図２、図４及び図５に示されるようにスプレッドフィルタ７０は、筒状部材６０に係止される複数の第一被係止部７１０を備える。本実施の形態では、第一被係止部７１０は、スプレッドフィルタ７０の周縁に設けられた突出部であり、第一被係止部７１０は、筒状部材６０の第一係止部６１２に係止される。第一被係止部７１０の第一係止部６１２による係止構成については、後述する。
【００５７】
また、図５に示されるように、スプレッドフィルタ７０の周縁には、切り欠き部７２０及びマーク部７３０が形成されている。切り欠き部７２０は、筒状部材６０の内面に突起を設ける場合に、当該突起との干渉を避けるための切り欠きである。マーク部７３０は、スプレッドフィルタ７０の周縁に形成された所定の形状を有する部分であり、スプレッドフィルタ７０によって光が拡散される方向を示す。本実施の形態では、マーク部７３０は、略三角形状の切り欠きであり、切り欠き部７２０とは異なる形状を有する。本実施の形態では、スプレッドフィルタ７０の周縁の対向する位置に、二つのマーク部７３０が形成されており、二つのマーク部７３０を繋ぐ方向（図５の一点鎖線の矢印で示される方向）において光の拡散が比較的大きい。つまり、二つのマーク部７３０を繋ぐ方向が光拡散方向である。また当該方向と垂直な方向において、光の拡散が比較的小さい。なお、二つのマーク部７３０を繋ぐ方向が、光の拡散が最も小さい方向となるように、二つのマーク部７３０を配置してもよい。
【００５８】
スプレッドフィルタ７０は、樹脂製であり、弾性変形し得る。つまり、スプレッドフィルタ７０は可撓性を有し、力が加えられて変形しても、力を加えない状態に戻せば、元の形状に戻る。スプレッドフィルタ７０は、弾性変形されることにより、筒状部材６０に対して着脱できる。スプレッドフィルタ７０の着脱方法については後述する。
【００５９】
スプレッドフィルタ７０は、例えば、ポリエチレンテレフタレート（ＰＥＴ）製のシート上に、アクリル製の異方性拡散フィルタを積層して形成することができる。なお、スプレッドフィルタ７０は、他の弾性変形可能な透光性樹脂を用いて形成してもよい。
【００６０】
［１−２．スプレッドフィルタの係止構成］
続いて、本実施の形態に係るスプレッドフィルタ７０の筒状部材６０による係止構成について図６を用いて詳細に説明する。
【００６１】
図６は、本実施の形態に係る照明器具１の断面の要部拡大図である。図６には、図４に示される断面図の二点鎖線で囲まれる領域が拡大して示されている。
【００６２】
図６に示されるように、本実施の形態では、筒状部材６０には、光学部材５０側（後方側、すなわち、ｙ軸方向正側）の端部付近に第一係止部６１２として環状の段差が形成されている。つまり、当該段差は、筒状部材６０の周方向全体にわたって設けられている。
【００６３】
ここで、スプレッドフィルタ７０の光軸Ｊに垂直な方向の最大寸法（図５に示される寸法Ｌ）は、筒状部材６０の内径より大きい。さらに、本実施の形態では、スプレッドフィルタ７０の光軸Ｊに垂直な方向の最大寸法は、環状の段差である第一係止部６１２の直径よりも大きい。また、スプレッドフィルタ７０の第一被係止部７１０を除く部分の光軸Ｊに垂直な方向の最大寸法（図５に示される寸法Ｄ）は、第一係止部６１２の直径よりも小さい。このため、図６に示されるように、第一係止部６１２には、スプレッドフィルタ７０の第一被係止部７１０が光軸Ｊに向かう向きに弾性変形された状態で当接する。これにより、スプレッドフィルタ７０の周縁に設けられた複数の第一被係止部７１０が第一係止部６１２に押し当てられるため、スプレッドフィルタ７０は、複数の第一被係止部７１０の各々から光軸Ｊ方向にほぼ同程度の力を受ける。したがって、スプレッドフィルタ７０の光軸Ｊに垂直な方向における位置が安定化される。
【００６４】
また、図６に示されるように、スプレッドフィルタ７０は、第一被係止部７１０が、第一係止部６１２と光学部材５０の光出射面５２０との間に挟まれることによって、光軸Ｊ方向（ｙ軸方向）における位置の変動が規制される。
【００６５】
また、上述のとおり、第一係止部６１２は、筒状部材６０の内面に設けられた環状の段差部であることから、スプレッドフィルタ７０の第一被係止部７１０は、光軸Ｊを中心として回転する方向には、第一係止部６１２によって規制されない。したがって、スプレッドフィルタ７０は、筒状部材６０及びセード部１１に対して回転自在に保持される。
【００６６】
なお、第一係止部６１２の構成は環状の段差に限定されず、例えば環状の溝であってもよい。第一係止部６１２を環状の溝とすることにより、光学部材５０を用いることなく、筒状部材６０だけでスプレッドフィルタ７０を保持することができる。また、第一係止部６１２は、環状でなくてもよい。例えば、第一係止部６１２は、複数の円弧状の段差が、筒状部材６０の周方向に直列に配置された構成を備えてもよい。これにより、スプレッドフィルタ７０は、光軸Ｊを中心として、所定の角度だけ回転自在な状態で、筒状部材６０によって保持される。
【００６７】
［１−３．スプレッドフィルタの着脱方法］
続いて、本実施の形態に係るスプレッドフィルタ７０を筒状部材６０に対して着脱する方法について、図７を用いて説明する。
【００６８】
図７は、本実施の形態に係る照明器具１において、スプレッドフィルタ７０を取り付ける方法を示す一部切り欠き斜視図である。
【００６９】
図７に示されるように、照明器具１において、スプレッドフィルタ７０以外の構成要素を組み立てた状態として、最後に、スプレッドフィルタ７０を筒状部材６０に取り付ける。図７では、一例として、照明器具１のスプレッドフィルタ７０以外の部分を天井などの造営材９０に取り付けた状態で、スプレッドフィルタ７０を取り付ける例が示されている。
【００７０】
上述のとおり、スプレッドフィルタ７０の光軸Ｊ方向に垂直な方向の最大寸法は、筒状部材６０の内径より大きい。そのため、スプレッドフィルタ７０を図７の矢印方向に筒状部材６０の内部に挿入するために、スプレッドフィルタ７０は、最大寸法が小さくなるように弾性変形された状態で筒状部材６０の内部に挿入される。続いて、スプレッドフィルタ７０のうち少なくとも第一被係止部７１０以外の部分は、少なくとも一つの第一被係止部７１０が第一係止部６１２に係止されるように配置された後、元の形状に戻される。スプレッドフィルタ７０を元の形状に戻す際に、全ての第一被係止部７１０が第一係止部６１２に配置されるように、スプレッドフィルタ７０の位置を調整する。これにより、複数の第一被係止部７１０のすべてを第一係止部６１２に配置することができる。続いて、スプレッドフィルタ７０の光拡散方向が、所望の方向に一致するように、必要に応じてスプレッドフィルタ７０を光軸Ｊに対して回転させる。ここで、スプレッドフィルタ７０を筒状部材６０に対して回転させてもよい。また、スプレッドフィルタ７０を筒状部材６０に対して回転させずに、筒状部材６０をセード部１１に対して回転させてもよい。
【００７１】
また、スプレッドフィルタ７０を照明器具１から取り外す場合には、例えば、照明器具１の外部から筒状部材６０の内部に手などを挿入して、スプレッドフィルタ７０を摘むことによって弾性変形させる。これにより、第一被係止部７１０を第一係止部６１２から離脱させる。そして、スプレッドフィルタ７０の最大寸法が小さくなるように弾性変形させた状態で、スプレッドフィルタ７０を筒状部材６０の内部から外部に取り出すことができる。
【００７２】
以上のように、本実施の形態に係る照明器具１では、スプレッドフィルタ７０の着脱において、ねじなどの照明器具１の他の構成要素の着脱及び移動が不要である。すなわち、本実施の形態に係る照明器具１は、スプレッドフィルタ７０の着脱作業を簡易化することができる。
【００７３】
［１−４．まとめ］
以上のように、本実施の形態に係る照明器具１は、光源３０と、光源３０が内部に配置され、光源３０の光軸を囲む筒状のセード部１１を備える器具本体１０とを備える。さらに、照明器具１は、セード部１１の内面に配置される筒状部材６０と、筒状部材６０に保持される略平板状のスプレッドフィルタ７０とを備える。スプレッドフィルタ７０は、筒状部材６０に係止される第一被係止部７１０を備える。筒状部材６０は、第一被係止部７１０を係止する第一係止部６１２を備える。スプレッドフィルタ７０は、弾性変形されることにより、筒状部材６０に対して着脱できる。
【００７４】
これにより、本実施の形態に係る照明器具１では、スプレッドフィルタ７０を弾性変形させた状態で移動させるだけで、スプレッドフィルタ７０を着脱することができる。このように、本実施の形態に係る照明器具１では、スプレッドフィルタ７０の着脱作業を簡易化することができる。
【００７５】
また、本実施の形態に係る照明器具１において、筒状部材６０は、外面に第二被係止部６６０を備え、器具本体１０は、セード部１１の内面に、第二被係止部６６０を係止する第二係止部１１４を備え、第二被係止部６６０は、第二係止部１１４に当接してもよい。
【００７６】
これにより、第二被係止部６６０と第二係止部１１４との間の摩擦力により、筒状部材６０が、セード部１１に対して回転することを抑制することができる。つまり、照明器具１の輸送時における振動などによって筒状部材６０がセード部１１に対して回転することを抑制できる。このため、スプレッドフィルタ７０の光拡散方向を安定化させることができる。
【００７７】
また、本実施の形態に係る照明器具１において、スプレッドフィルタ７０は、器具本体１０に対して、回転自在に保持されてもよい。
【００７８】
これにより、スプレッドフィルタ７０の光拡散方向を容易に調整することができる。
【００７９】
また、本実施の形態に係る照明器具１において、第一被係止部７１０は、スプレッドフィルタ７０の周縁に設けられた突出部であり、第一係止部６１２は、筒状部材６０の内面に設けられた環状の段差部であってもよい。
【００８０】
これにより、スプレッドフィルタ７０を筒状部材６０に対して自在に回転させることができる。このためスプレッドフィルタ７０の光拡散方向を容易に調整することができる。
【００８１】
また、本実施の形態に係る照明器具１において、筒状部材６０は、複数の第二被係止部６６０を備え、第二被係止部６６０は、凸部であり、第二係止部１１４は、セード部１１の内面に形成された環状の溝部であってもよい。
【００８２】
これにより、筒状部材６０をセード部１１に対して回転させることができる。筒状部材６０をセード部１１に対して回転させることにより、スプレッドフィルタ７０をセード部１１に対して回転させることができる。つまり、筒状部材６０をセード部１１に対して回転させることにより、スプレッドフィルタ７０の光拡散方向を調整することができる。
【００８３】
また、本実施の形態に係る照明器具１において、光源３０とスプレッドフィルタ７０との間に、フレネルレンズを備えてもよい。
【００８４】
これにより、フレネルレンズである光学部材５０から略円形の断面を有する集光された光が、スプレッドフィルタ７０に入射される。したがって、スプレッドフィルタ７０によって、略楕円形状の断面形状を有する光を出射することができる。
【００８５】
また、本実施の形態に係る照明器具１において、スプレッドフィルタ７０は樹脂製であってもよい。
【００８６】
これにより、弾性変形可能なスプレッドフィルタ７０を実現することができる。
【００８７】
また、本実施の形態に係る照明器具１において、スプレッドフィルタ７０の光軸Ｊに垂直な方向の最大寸法は、筒状部材６０の内径より大きくてもよい。
【００８８】
これにより、スプレッドフィルタ７０を筒状部材６０によって保持することができる。また、スプレッドフィルタ７０の最大寸法は筒状部材６０の内径より大きいが、スプレッドフィルタ７０を弾性変形させることにより筒状部材６０に対して容易に着脱することができる。
【００８９】
（実施の形態２）
次に、実施の形態２に係る照明器具について説明する。実施の形態１に係る照明器具１は、スプレッドフィルタ７０の光拡散方向を自在に調整できる構成を備えるのに対して、本実施の形態に係る照明器具は、スプレッドフィルタの光拡散方向を固定できる構成を備える。以下、本実施の形態に係る照明器具について、実施の形態１に係る照明器具１との相違点を中心に説明する。
【００９０】
［２−１．全体構成］
まず、本実施の形態に係る照明器具の全体構成について図８及び図９を用いて説明する。
【００９１】
図８は、本実施の形態に係る照明器具１ａの一部切り欠き斜視図である。図８においては、照明器具１ａが備える器具本体１０ａのセード部１１ａの構成を説明するために、筒状部材及びスプレッドフィルタが取り付けられていない状態の図が示されている。
【００９２】
図９は、本実施の形態に係る照明器具１ａの筒状部材６０ａ及びスプレッドフィルタ７０ａの構成を示す斜視図である。
【００９３】
本実施の形態に係る照明器具１ａは、照明器具１と同様に、器具本体１０ａ、枠体２０、光源３０、取付部材３２、接続部材３６、反射部材４０、光学部材５０、筒状部材６０ａ及びスプレッドフィルタ７０ａを備える。本実施の形態に係る照明器具１ａは、器具本体１０ａ、筒状部材６０ａ及びスプレッドフィルタ７０ａの構成において、実施の形態１に係る照明器具１と相違し、その他の構成において一致する。以下、本実施の形態に係る照明器具１ａと実施の形態１に係る照明器具１との相違点である器具本体１０ａ、筒状部材６０ａ及びスプレッドフィルタ７０ａの構成について説明する。
【００９４】
図８に示されるように、器具本体１０ａは、実施の形態１に係る器具本体１０と同様にセード部１１ａ、取付部１２及び放熱部１３を備える。器具本体１０ａは、セード部１１ａの構成において、実施の形態１に係る器具本体１０と異なる。本実施の形態では、セード部１１ａは、複数の第二係止部１１４ａを備える。図８に示されるように、第二係止部１１４ａは凹部である。本実施の形態では、セード部１１ａは、四つの第二係止部１１４ａを備える。第二係止部１１４ａは、筒状部材６０ａの第二被係止部６６０を係止する。
【００９５】
筒状部材６０ａは、図９に示されるように、スプレッドフィルタ７０ａを係止する複数の第一係止部６１２ａを備える。本実施の形態では、第一係止部６１２ａは、筒状部材６０ａの内面に設けられた切り欠き部である。また、第一係止部６１２ａは、筒状部材６０ａの周方向に等間隔で配置されている。これにより、スプレッドフィルタ７０ａの第一被係止部７１０ａ及び７１１を第一係止部６１２ａに対応する位置に設けることによって、第一被係止部７１１を複数の第一係止部６１２ａのいずれにも係止させることができる。すなわち、スプレッドフィルタ７０ａの光拡散方向を、複数の方向のうちの一つに選択することができる。
【００９６】
筒状部材６０ａは、実施の形態１に係る筒状部材６０と同様に外面に四つの第二被係止部６６０を備える。筒状部材６０ａは、第二被係止部６６０が第二係止部１１４ａに係止されることにより、器具本体１０ａの内部に保持される。本実施の形態では、第二被係止部６６０は複数の凸部であり、第二係止部１１４ａは、セード部１１ａの内面に形成され、かつ、複数の第二被係止部６６０をそれぞれ係止する複数の凹部である。筒状部材６０ａは、以上のような構成を備えることにより、四つの第二被係止部６６０が四つの第二係止部１１４ａにそれぞれ係止されるようにセード部１１ａに挿入するだけで簡単に取り付けることができる。また、第二係止部１１４ａが図８に示されるような凹部であることから、筒状部材６０ａの、セード部１１ａに対する回転が規制される。このため、筒状部材６０ａに保持されたスプレッドフィルタ７０ａの光拡散方向を安定化させることができる。
【００９７】
さらに、第二被係止部６６０は、第二係止部１１４ａに当接する。これにより、第二被係止部６６０と第二係止部１１４ａとの間の摩擦力により、筒状部材６０ａが、セード部１１ａに対してがたつくことを抑制することができる。また、筒状部材６０ａのセード部１１ａに対するがたつきをより抑制するためには、例えば第二被係止部６６０の高さ方向（筒状部材６０ａの径方向）における寸法を大きくすることによって、第二被係止部６６０が第二係止部１１４ａに圧接する構成としてもよい。つまり、第二被係止部６６０が第二係止部１１４ａを押圧することによって、上記摩擦力を増大させてもよい。
【００９８】
なお、図８には示されないが、本実施の形態に係る筒状部材６０ａは、実施の形態１に係る筒状部材６０と同様に、セード部１１ａの内部に配置される。
【００９９】
スプレッドフィルタ７０ａは、図９に示されるように、筒状部材６０ａの第一係止部６１２ａに係止される第一被係止部７１０ａ及び７１１を備える。本実施の形態では、第一被係止部７１０ａ及び７１１は、スプレッドフィルタ７０ａの周縁に設けられた突出部である。第一被係止部７１１には、マーク部７３０ａが形成されている。マーク部７３０ａは、第一被係止部７１１の先端部に形成された所定の形状を有する部分であり、スプレッドフィルタ７０ａによって光が拡散される方向を示す。本実施の形態では、マーク部７３０ａは、略三角形状の切り欠きである。本実施の形態では、スプレッドフィルタ７０ａの周縁の対向する位置に設けられた第一被係止部７１１の各々に、マーク部７３０ａが形成されており、二つのマーク部７３０ａを繋ぐ方向（図９の一点鎖線の矢印で示される方向）において光の拡散が比較的大きい。また当該方向と垂直な方向において、光の拡散が比較的小さい。なお、二つのマーク部７３０ａを繋ぐ方向において、光の拡散を比較的小さくし、当該方向と垂直な方向において、光の拡散を大きくしてもよい。
【０１００】
なお、図８には示されないが、本実施の形態に係るスプレッドフィルタ７０ａは、セード部１１ａの内部において、筒状部材６０ａに保持される。スプレッドフィルタ７０ａの係止構成の詳細については後述する。
【０１０１】
［２−２．スプレッドフィルタの係止構成］
続いて、本実施の形態に係るスプレッドフィルタ７０ａの係止構成について説明する。本実施の形態においても、スプレッドフィルタ７０ａは、筒状部材６０ａに保持される。
【０１０２】
図９に示されるように、本実施の形態では、筒状部材６０ａには、光学部材５０側（ｙ軸方向正側）の端部付近に第一係止部６１２ａとして複数の切り欠き部が形成されている。
【０１０３】
ここで、スプレッドフィルタ７０ａの光軸Ｊに垂直な方向の最大寸法は、筒状部材６０ａの内径より大きい。さらに、本実施の形態では、スプレッドフィルタ７０ａの光軸Ｊに垂直な方向の最大寸法は、対向する二つの第一係止部６１２ａ間の距離より大きい。また、スプレッドフィルタ７０ａの第一被係止部７１０ａ及び７１１を除く部分の光軸Ｊに垂直な方向の最大寸法（直径）は、対向する二つの第一係止部６１２ａ間の距離よりも小さい。したがって、図９に示されるように、スプレッドフィルタ７０ａの第一被係止部７１０ａ及び７１１を、それぞれ、第一係止部６１２ａに配置することができる。また、本実施の形態では、スプレッドフィルタ７０ａの第一被係止部７１０ａ及び７１１がこのように配置される場合に、スプレッドフィルタ７０ａは、弾性変形されない。
【０１０４】
以上のように、スプレッドフィルタ７０ａが筒状部材６０ａに配置されることにより、第一被係止部７１０ａ及び７１１が、第一係止部６１２ａに係止される。これにより、スプレッドフィルタ７０ａが筒状部材６０ａに対して光軸Ｊを中心として回転することが抑制される。また、第二被係止部６６０がセード部１１ａの第二係止部１１４ａに係止されることにより、筒状部材６０ａがセード部１１ａに対して回転することが抑制される。
【０１０５】
以上のように、スプレッドフィルタ７０ａは、照明器具１ａに対して、回転しないように保持される。このため、本実施の形態に係る照明器具１ａにおいては、スプレッドフィルタ７０ａの光拡散方向を固定することができる。したがって、照明器具１ａの配光特性を安定化させることができる。
【０１０６】
一方、スプレッドフィルタ７０ａは、光軸Ｊ方向においては、筒状部材６０ａと筒状部材６０ａのｙ軸方向正側に配置される光学部材５０との間に、第一被係止部７１０ａ及び７１１が挟まれることによって位置の変動が規制される。
【０１０７】
以上のように、本実施の形態に係るスプレッドフィルタ７０ａは、照明器具１ａの光軸Ｊ方向への移動が規制される。これにより、スプレッドフィルタ７０ａが照明器具１ａから離脱することが抑制される。
【０１０８】
［２−３．スプレッドフィルタの着脱方法］
続いて、本実施の形態に係るスプレッドフィルタ７０ａを筒状部材６０ａに着脱する方法について説明する。
【０１０９】
本実施の形態においても、実施の形態１と同様に、照明器具１ａにおいて、スプレッドフィルタ７０ａ以外の構成要素を組み立てた状態として、最後に、スプレッドフィルタ７０ａを筒状部材６０ａに取り付ける。
【０１１０】
上述のとおり、スプレッドフィルタ７０ａの光軸Ｊ方向に垂直な方向の最大寸法は、筒状部材６０ａの内径より大きい。そのため、スプレッドフィルタ７０ａを筒状部材６０ａの内部に挿入するために、スプレッドフィルタ７０ａは、最大寸法が小さくなるように弾性変形された状態で筒状部材６０ａの内部に挿入される。スプレッドフィルタ７０ａは、第一被係止部７１０ａ及び７１１の少なくとも一つが第一係止部６１２ａに係止されるように配置された後、元の形状に戻される。スプレッドフィルタ７０ａを元の形状に戻す際に、全ての第一被係止部７１０ａ及び７１１がそれぞれ第一係止部６１２ａに配置されるように、スプレッドフィルタ７０ａの位置を調整する。これにより、第一被係止部７１０ａ及び７１１のすべてを第一係止部６１２ａに配置することができる。なお、スプレッドフィルタ７０ａを筒状部材６０ａに配置する際に、スプレッドフィルタ７０ａの光拡散方向が所望の方向となるようにマーク部７３０ａの配置を選択する必要がある。
【０１１１】
また、スプレッドフィルタ７０ａを照明器具１ａから取り外す場合には、実施の形態１の場合と同様に取り出すことができる。
【０１１２】
以上のように、本実施の形態に係る照明器具１ａにおいても、スプレッドフィルタ７０ａを弾性変形させた状態で移動させるだけで、スプレッドフィルタ７０ａを着脱することができる。すなわち、本実施の形態に係る照明器具１ａは、スプレッドフィルタ７０ａの着脱作業を簡易化することができる。
【０１１３】
［２−４．効果など］
以上のように、本実施の形態に係る照明器具１ａは、実施の形態１に係る照明器具１と同様に、光源３０と、光源３０が内部に配置され、光源３０の光軸を囲む筒状のセード部１１ａを備える器具本体１０ａとを備える。さらに、照明器具１ａは、セード部１１ａの内面に配置される筒状部材６０ａと、筒状部材６０ａに保持される略平板状のスプレッドフィルタ７０ａとを備える。スプレッドフィルタ７０ａは、筒状部材６０ａに係止される第一被係止部７１０ａを備える。筒状部材６０ａは、第一被係止部７１０ａを係止する第一係止部６１２ａを備える。スプレッドフィルタ７０ａは、弾性変形されることにより、筒状部材６０ａに対して着脱できる。
【０１１４】
このように、本実施の形態に係る照明器具１ａは、実施の形態１に係る照明器具１と同様に、スプレッドフィルタ７０ａの着脱作業を簡易化することができる。
【０１１５】
また、本実施の形態に係る照明器具１ａにおいて、スプレッドフィルタ７０ａは、器具本体１０ａに対して、回転しないように保持されていてもよい。
【０１１６】
これにより、スプレッドフィルタ７０ａの光拡散方向を安定化することができる。
【０１１７】
また、本実施の形態に係る照明器具１ａにおいて、スプレッドフィルタ７０ａは、複数の第一被係止部７１０ａを備え、第一被係止部７１０ａは、スプレッドフィルタ７０ａの周縁に配置された突出部であり、筒状部材６０は、複数の第一係止部６１２ａを備え、複数の第一係止部６１２ａは、筒状部材６０に等間隔で配置された複数の切り欠き部であるでもよい。
【０１１８】
これにより、第一被係止部７１０ａ及び７１１を第一係止部６１２ａに対応する位置に設けることによって、第一被係止部７１１を複数の第一係止部６１２ａのいずれにも係止させることができる。すなわち、スプレッドフィルタ７０ａの光拡散方向を、複数の方向のうちの一つに選択することができる。
【０１１９】
また、本実施の形態に係る照明器具１ａにおいて、筒状部材６０ａは、複数の第二被係止部６６０ａを備え、第二被係止部６６０ａは、凸部であり、セード部１１ａは、複数の第二係止部１１４ａを備え、第二係止部１１４ａは、凹部であってもよい。
【０１２０】
これにより、筒状部材６０ａが、セード部１１ａに対して回転することが抑制される。このため、筒状部材６０ａに保持されたスプレッドフィルタ７０ａの光拡散方向を安定化させることができる。
【０１２１】
（変形例など）
以上、本発明に係る照明器具について、実施の形態に基づいて説明したが、本発明は、上記実施の形態に限定されるものではない。
【０１２２】
例えば、上記実施の形態では、光学部材５０は、フレネルレンズであったが、光学部材５０はこれに限定されない。光学部材５０は、例えば、ハイブリッドレンズ、ドーム型レンズなどでもよい。
【０１２３】
また、上記実施の形態では、第一係止部６１２及び６１２ａとして、段差部及び切り欠き部が用いられたが、第一係止部の構成はこれらに限定されない。例えば、第一係止部は溝部であってもよい。
【０１２４】
また、上記実施の形態においては、光源３０において、ＣＯＢ型ＬＥＤを用いたが、他の発光素子を用いてもよい。例えば、ＳＭＤ（Ｓｕｒｆａｃｅ  Ｍｏｕｎｔ  Ｄｅｖｉｃｅ）型ＬＥＤを用いてもよい。また、有機ＥＬ（Ｅｌｅｃｔｒｏ  Ｌｕｍｉｎｅｓｃｅｎｃｅ）素子など他の固体発光素子、又は、固体発光素子以外の他の光源を用いてもよい。
【０１２５】
その他、各実施の形態に対して当業者が思いつく各種変形を施して得られる形態、又は、本発明の趣旨を逸脱しない範囲で各実施の形態における構成要素及び機能を任意に組み合わせることで実現される形態も本発明に含まれる。
【符号の説明】
【０１２６】
１、１ａ  照明器具
１０、１０ａ  器具本体
１１、１１ａ  セード部
１２  取付部
１３  放熱部
２０  枠体
３０  光源
５０  光学部材（フレネルレンズ）
６０、６０ａ  筒状部材
７０、７０ａ  スプレッドフィルタ
１１４、１１４ａ  第二係止部
６１２、６１２ａ  第一係止部
６６０  第二被係止部
７１０、７１０ａ、７１１  第一被係止部
Ｊ  光軸
【図１】
0006601722.tif 000002
【図２】
0006601722.tif 000003
【図３】
0006601722.tif 000004
【図４】
0006601722.tif 000005
【図５】
0006601722.tif 000006
【図６】
0006601722.tif 000007
【図７】
0006601722.tif 000008
【図８】
0006601722.tif 000009
【図９】
0006601722.tif 000010